(57)【要約】【課題】替え刃の着脱、交換が容易で、長期にわたって良好な切断性能を維持できる果菜類の摘み取り具を提供する。【解決手段】摘み取り具１の本体２は、指環部２１、そこから延出する偏平な支持板部２２を持つ。矩形平板状の替え刃３は、刃部３１と位置決め孔３２を持ち、支持板部２２上に着脱自在に保持される。カバー部材４は、フック部４４と弾性係合片４５で支持板部２２に係合して、替え刃３を支持板部２２に保持する。支持板部２２は、位置決め突起２６、係合開口２７を持つ。替え刃３の位置決め孔３２は、支持板部２２上の定位置で、突起２６に嵌合し、位置決めされる。カバー部材４のフック部４４が、刃受け部２５の先端に係合し、弾性係合片４５が係合開口２７に離脱可能にスナップ係合する。【選択図】図１
2020068705.tif 000002
【特許請求の範囲】
【請求項１】
親指に嵌め込まれる指環部と当該指環部から半径方向外側に延出する偏平な支持板部とを具備する本体と、前記支持板部上に着脱自在に保持される矩形平板状の替え刃と、当該替え刃を介して前記支持板部に重ねるように当該支持板部に係合離脱自在のカバー部材とを具備し、
前記支持板部は、前記指環部に連続する基板部と、先端側に開放する切欠部と、前記基板部から前記切欠部の両側に沿って延びる一対の刃受け部と、前記支持板部から上方に突出するように設けられた一対の位置決め突起と、前記基板部に形成された係合開口とを具備し、
前記替え刃は、前記支持板部上の定位置に配置されたとき位置決め突起に嵌合する一対の位置決め孔と、定位置において前記切欠部の内奥部を横断する刃部とを具備し、
前記カバー部材は、前記支持板部の基板部に重なる基部と、前記支持板部の切欠部に対応する切欠部と、前記基部から前記切欠部の両側に沿って前記刃受け部に重なるように延びる一対の押さえ片と、当該押さえ片の先端部に設けられ前記刃受け部の先端部に係合するフック部と、当該フック部を前記刃受け部の先端部に係合させた状態で前記係合開口の縁にスナップ係合するように前記基部に突設された弾性係合片とを具備することを特徴とする果菜類の摘み取り具。
【請求項２】
前記弾性係合片は、前記係合開口との係合時に当該係合開口を貫通して前記基板部の裏側へ突出し、当該突出部を前記基板部の裏側から押し曲げて係合を解くことができるように設けられることを特徴とする果菜類の摘み取り具。
【発明の詳細な説明】
【技術分野】
【０００１】
本発明は、キュウリやナスなどの果菜類を収穫する作業に用いられる摘み取り具に関する。
【背景技術】
【０００２】
従来、作業者の親指を挿入して装着できる筒部から突出する支持部の先端に切欠部を設け、この切欠部の内奥に刃部を設けた果菜類の摘み切り具が知られている（特許文献1）。この摘み切り具は、刃部が切欠部から露出することなく、内奥部に位置するので、作業者の危険が少ないし、果菜を傷付けることもなく、また切欠部が果軸を案内するため作業効率が向上する特徴がある。
【先行技術文献】
【特許文献】
【０００３】
【特許文献１】実開昭６０−７２１２６号公報
【発明の概要】
【発明が解決しようとする課題】
【０００４】
上記従来の摘み切り具は、刃部を支持部と一体に形成したもので、刃の交換ができない。また特許文献1には、刃部を替え刃式にする具体的構成について開示はない。
したがって、本発明は、替え刃の着脱、交換が容易で、刃の交換により長期にわたって良好な切断性能を維持できる果菜類の摘み取り具を提供することを目的としている。
【課題を解決するための手段】
【０００５】
以下、添付図面の符号を参照して説明するが、本発明はこれに限定されるものではない。
上記課題を解決するための、本発明の果菜類の摘み取り具１は、親指に装着する本体２と、替え刃３と、刃を固定するカバー部材４とを具備する。本体２は、親指に嵌め込まれる指環部２１と、この指環部２１から半径方向外側に延出する偏平な支持板部２２とを具備する。替え刃３は、矩形平板状で、支持板部２２上に着脱自在に保持される。カバー部材４は、替え刃３を介して支持板部２２に重ねるように、支持板部２２に係合離脱自在に構成される。支持板部２２は、指環部２１に連続する基板部２３と、先端側に開放する切欠部２４と、基板部２３から切欠部２４の両側に沿って延びる一対の刃受け部２５と、支持板部２２から上面に突出するように設けられた一対の位置決め突起２６と、基板部２３に形成された係合開口２７とを具備する。替え刃３は、支持板部２２上の定位置に配置されたとき位置決め突起２６に嵌合する一対の位置決め孔３２と、定位置において切欠部２４の内奥部を横断する刃部３１とを具備する。カバー部材４には、支持板部２２の基板部２３に重なる基部４１と、支持板部２２の切欠部２４に対応する切欠部４２と、基部４１から切欠部４２の両側に沿って刃受け部２５に重なるように延びる一対の押さえ片４３と、当該押さえ片４３の先端部に設けられ刃受け部２５の先端部に係合するフック部４４と、フック部４４を刃受け部２５の先端部に係合させた状態で係合開口２７の縁にスナップ係合するように基部４１に突設された弾性係合片４５とを具備する。
【発明の効果】
【０００６】
本発明の果菜類の摘み取り具は、簡易な構造で、刃の交換が容易であり、長期にわたって良好な切断性能を維持できるという効果を有する。
【図面の簡単な説明】
【０００７】
【図１】本発明に係る摘み取り具の斜視図である。
【図２】図１の摘み取り具の使用状態の側面図である。
【図３】図１の摘み取り具の側面図である。
【図４】図１の摘み取り具の平面図である。
【図５】図１の摘み取り具一部の拡大断面図である。
【図６】図１の摘み取り具一部の拡大断面図である。
【図７】図１の摘み取り具における本体の斜視図である。
【図８】図１の摘み取り具におけるカバー部材の斜視図である。
【発明を実施するための形態】
【０００８】
図面を参照して本発明の実施の形態を説明する。
果菜類の摘み取り具１は、親指に装着する本体２と、替え刃３と、刃を固定するカバー部材４とを具備する。
【０００９】
本体２は、合成樹脂で一体成形され、作業者の親指に嵌め込まれる指環部２１と、この指環部２１から半径方向外側に延出する偏平な支持板部２２とを具備する。
【００１０】
替え刃３は、矩形平板状で、一端側に刃部３１を有すると共に、一対の位置決め孔３２を有し、支持板部２２上に着脱自在に保持される。
カバー部材４は、替え刃３を介して支持板部２２に重ねるように、支持板部２２に係合離脱自在に構成される。
【００１１】
支持板部２２は、指環部２１に連続する基板部２３と、先端側に開放する切欠部２４と、基板部２３から切欠部２４の両側に沿って延びる一対の刃受け部２５と、支持板部２２から上面に突出するように設けられた一対の位置決め突起２６と、基板部２３に形成された係合開口２７とを具備する。図示の実施形態において、位置決め突起２６は、金属製の位置決めピンをカシメ止めしてなるが、これに限定されない。合成樹脂で本体２と一体成形してもよい。位置決め突起２６が金属製の場合、耐久性があり、使用時に替え刃３が受ける反力を繰り返し受け止めても破断することがない。
【００１２】
替え刃３の一対の位置決め孔３２は、支持板部２２上の定位置に配置されたとき、位置決め突起２６に嵌合する。替え刃３は、支持板部２２上の定位置において、刃部３１が、切欠部２４の内奥部を横断するように配置される。
【００１３】
カバー部材４には、支持板部２２の基板部２３に重なる基部４１と、支持板部２２の切欠部２４に対応する切欠部４２と、基部４１から切欠部４２の両側に沿い、刃受け部２５に重なるように延びる一対の押さえ片４３とを具備する。図５ないし図８に示すように、押さえ片４３の先端部には、刃受け部２５の先端部に係合するフック部４４が設けられる。基部４１には、フック部４４を刃受け部２５の先端部に係合させた状態で、係合開口２７の縁にスナップ係合するように、弾性係合片４５が突設される。
【００１４】
使用時には、替え刃３の位置決め孔３２を本体２の位置決め突起２６に嵌合させるように、刃受け部２５上にセットした上、カバー部材４のフック部４４を刃受け部２５の先端部に係合させながら、カバー部材４を替え刃３の上に重ねるように支持板部２２に押し付けると、弾性係合片４５が撓みながら係合開口２７の縁に係合し、刃受け部２５とカバー部材４との間に替え刃３が保持される。
【００１５】
替え刃３をセットしたら、図２に示すように、指環部２１を親指に装着する。キュウリのような果菜Ａの収穫時には、４指で果菜Ａを握り、親指で摘み取り具１を果軸Ａ１に押し付け、果軸Ａ１を切断して果菜Ａをもぎ取る。
【００１６】
替え刃３を交換する際には、例えば、図６に示すように、係合開口２７から裏側へ突出した弾性係合片４５を指で変形させて押し出すことにより、カバー部材４を本体２から外し、替え刃３を入れ替える。替え刃３の交換、装着は容易であり、替え刃の交換により常に所期の切れ味を維持する。
【符号の説明】
【００１７】
１    摘み取り具
２    本体
２１  指環部
２２  支持板部
２３  基板部
２４  切欠部
２５  刃受け部
２６  位置決め突起
２７  係合開口
３    替え刃
３１  刃部
３２  位置決め孔
４    カバー部材
４１  基部
４２  切欠部
４３  押さえ片
４４  フック部
４５  弾性係合片
Ａ    果菜
Ａ１  果軸
【図１】
2020068705.tif 000003
【図２】
2020068705.tif 000004
【図３】
2020068705.tif 000005
【図４】
2020068705.tif 000006
【図５】
2020068705.tif 000007
【図６】
2020068705.tif 000008
【図７】
2020068705.tif 000009
【図８】
2020068705.tif 000010
【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
親指に嵌め込まれる指環部と当該指環部から半径方向外側に延出する偏平な支持板部とを具備する本体と、前記支持板部上に着脱自在に保持される矩形平板状の替え刃と、当該替え刃を介して前記支持板部に重ねるように当該支持板部に係合離脱自在のカバー部材とを具備し、
前記支持板部は、前記指環部に連続する基板部と、先端側に開放する切欠部と、前記基板部から前記切欠部の両側に沿って延びる一対の刃受け部と、前記支持板部から上方に突出するように設けられた一対の位置決め突起と、前記基板部に形成された係合開口とを具備し、
前記替え刃は、前記支持板部上の定位置に配置されたとき位置決め突起に嵌合する一対の位置決め孔と、定位置において前記切欠部の内奥部を横断する刃部とを具備し、
前記カバー部材は、前記支持板部の基板部に重なる基部と、前記支持板部の切欠部に対応する切欠部と、前記基部から前記切欠部の両側に沿って前記刃受け部に重なるように延びる一対の押さえ片と、当該押さえ片の先端部に設けられ前記刃受け部の先端部に係合するフック部と、当該フック部を前記刃受け部の先端部に係合させた状態で前記係合開口の縁にスナップ係合するように前記基部に突設された弾性係合片とを具備することを特徴とする果菜類の摘み取り具。
【請求項２】
前記弾性係合片は、前記係合開口との係合時に当該係合開口を貫通して前記基板部の裏側へ突出し、当該突出部を前記基板部の裏側から押し曲げて係合を解くことができるように設けられることを特徴とする請求項１に記載の果菜類の摘み取り具。